(57)【特許請求の範囲】
【請求項１】
被写体像を撮像して撮像画像を得る撮像部と、
上記撮像画像に基づく表示が可能な第１の表示画面が形成された、接眼式の表示部と、
上記第１の表示画面とは異なる第２の表示画面を有すると共にタッチ操作に応じた信号を発生するタッチパネルと、
上記第１の表示画面に上記撮像画像に基づく表示を行う接眼表示モードに設定するモード設定部と、
上記タッチパネルにおける任意の位置に対するタッチ操作を検出するタッチ操作検出部と、
上記モード設定部により上記接眼表示モードに設定されている場合において、上記タッチ操作検出部が、上記タッチパネルにおける任意の位置に所定のタッチ操作がなされたことを検出し、かつ、当該タッチ操作した指が当該タッチした点から変化していることを検出した際は、スライド操作がなされたと判断して当該スライド方向を検出し、当該スライド方向の検出結果に基づいて上記第１の表示画面に表示されている撮影パラメータ変更のための表示を変更する表示制御部と、
を具備したことを特徴とする撮影機器。
【請求項２】
上記表示制御部は、上記撮像画像に基づく表示と上記撮影パラメータ変更のための表示とを合成して上記第１の表示画面に表示する
ことを特徴とする請求項１に記載の撮影機器。
【請求項３】
上記表示制御部は、撮影パラメータ変更のための表示として、設定モード選択表示及び各設定モード毎のパラメータ選択表示を表示するものであって、
上記タッチパネルに対するタッチ操作によって上記設定モード選択表示を表示させ、上記スライド方向の検出結果に基づいて、設定モードの選択、選択した設定モードに対応する上記パラメータ選択表示の表示及びパラメータの選択を行う
ことを特徴とする請求項１または２に記載の撮影機器。
【発明の詳細な説明】
【技術分野】
【０００１】
本発明は、タッチ操作可能な表示パネルを有する撮影機器に関する。
【背景技術】
【０００２】
近年、デジタルカメラなどの撮影機能付き携帯機器（撮影機器）が普及している。この種の撮影機器においては、ＬＣＤ等の表示パネルと電子ビューファインダとを備えたものがある。電子ビューファインダは、撮像画像を表示する小型のＬＣＤパネルと接眼部とを備えており、ユーザは、接眼部からＬＣＤパネルを観察することで、撮像画像の確認が可能である。また、表示パネルは、例えば、撮影機器の背面に設けられており、電子ビューファインダと同様の表示を行うことができる。
【０００３】
電子ビューファインダ及び表示パネルには、撮像画像だけでなく、撮影機器の設定や撮影操作を制御するための各種メニュー表示等を表示させることもできる。更に、表示パネルには、タッチパネルが配設されることがあり、ユーザは、表示パネル等のメニュー表示等に対応した表示位置を指で触れることで、設定操作や撮影操作等を行うことができるようになっている。
【０００４】
なお、タッチパネルとしては、２点以上のタッチを検出して、直感的な操作を可能にした技術も開発されている（例えば、特許文献１）。
【先行技術文献】
【特許文献】
【０００５】
特表２００８−５０８６０１号公報
【発明の概要】
【発明が解決しようとする課題】
【０００６】
しかしながら、タッチパネルにおいて２点タッチのユーザインタフェースを採用した場合でも、文字や数値の入力やパラメータ設定を必要とする各種設定操作を行う場合等においては、ユーザはタッチパネルが配設されている画面を見ながら操作を行う必要があり、必ずしも操作性に優れているとは限らないという問題があった。
【０００７】
本発明は、タッチパネルが配設されている画面を見ることなく、あるいは十分な確認なくとも確実な操作を可能にすることにより、操作性を向上させることができる撮影機器を提供することを目的とする。
【課題を解決するための手段】
【０００８】
本発明に係る撮影機器は、被写体像を撮像して撮像画像を得る撮像部と、上記撮像画像に基づく表示が可能な第１の表示画面が形成された、接眼式の表示部と、上記第１の表示画面とは異なる第２の表示画面を有すると共にタッチ操作に応じた信号を発生するタッチパネルと、上記第１の表示画面に上記撮像画像に基づく表示を行う接眼表示モードに設定するモード設定部と、上記タッチパネルにおける任意の位置に対するタッチ操作を検出するタッチ操作検出部と、上記モード設定部により上記接眼表示モードに設定されている場合において、上記タッチ操作検出部が、上記タッチパネルにおける任意の位置に所定のタッチ操作がなされたことを検出し、かつ、当該タッチ操作した指が当該タッチした点から変化していることを検出した際は、スライド操作がなされたと判断して当該スライド方向を検出し、当該スライド方向の検出結果に基づいて上記第１の表示画面に表示されている撮影パラメータ変更のための表示を変更する表示制御部と、を具備する。
【発明の効果】
【０００９】
本発明によれば、タッチパネルが配設されている画面を見ることなく、あるいは十分な視認、確認なくとも確実な操作を可能にすることにより、操作性を向上させることができるという効果を有する。
【図面の簡単な説明】
【００１０】
【図１】本発明の第１の実施の形態に係る撮影機器の回路構成を示すブロック図。
【図２】メニュー画面表示のための操作を説明するための説明図。
【図３】パラメータ設定のための操作を説明するための説明図。
【図４】カメラ制御を説明するためのフローチャート。
【図５】図４のステップＳ１３における操作判定及びパラメータ変更ステップの具体例を示すフローチャート。
【図６】本発明の第２の実施の形態において採用される動作フローを示すフローチャート。
【図７】第２の実施の形態を説明するための説明図。
【図８】本発明の第３の実施の形態において採用される動作フローを示すフローチャート。
【図９】第３の実施の形態を説明するための説明図。
【図１０】本発明の第４の実施の形態において採用される動作フローを示すフローチャート。
【図１１】第４の実施の形態を説明するための説明図。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。
【００１３】
先ず、図２及び図３を参照して本実施の形態における操作方法について説明する。図２はメニュー画面表示のための操作を説明するための説明図であり、図３はパラメータ設定のための操作を説明するための説明図である。
【００１４】
本実施の形態における撮影機器１は、図２（ａ），（ｂ）に示すように、撮影機器本体１０の上面に電子ビューファインダ等の接眼表示部３１が取り付けられ、背面にはＬＣＤ等によって構成された表示部１７が設けられている。ユーザ４１は、例えば、撮影機器本体１０の前面に配置された交換レンズ２０を操作可能な状態で撮影機器１を左手４２Ｌで支持し、右手４２Ｒで撮影機器本体１０を保持しながら撮影を行う。撮影機器本体１０の上面には右側にシャッターボタン３５が配設されており、ユーザ４１は、右手４２Ｒの人差し指４３ｂでシャッターボタン３５を押下することで撮影を行う。
【００１５】
後述する撮像部１１によって撮像された撮像画像は、接眼表示部３１の表示画面３１ａと表示部１７の表示画面１７ｂとの両方にライブビュー表示を表示させることができる。ライブビュー表示を接眼表示部３１に接眼して確認する撮影の仕方は、安定してカメラを構えることができ、フレーミングが容易であり、長い焦点距離の撮影時におけるブレを低減することができる。しかも、接眼表示部３１では表示画面が太陽光の影響を受けないので、見やすく色再現性に優れた状態で被写体を観察することができる。
【００１６】
従って、表示部１７に表示されたライブビュー表示を見ながら撮影を行う場合よりも、接眼表示部３１に接眼してライブビュー表示を見ながら撮影を行った方が撮影に有利であることが多い。また、撮影時に、ライブビュー表示を観察しながら撮影パラメータ等を変更することがあり、接眼した状態で、即ち表示部１７の表示画面１７ｂを見ることなく撮影パラメータの変更を行えると、撮影をスムーズに行うことができる。
【００１７】
図２（ａ）はこのような接眼した状態での撮影の例を示しており、ユーザ４１は、撮影機器本体１０を水平に把持して、一方の目４５を接眼表示部３１の接眼する部分に対向させた状態で撮影を行う。撮影機器１の電源を投入すると、撮影モード時には、後述する撮像部１１からの撮像画像に基づいて、接眼表示部３１の表示画面３１ａにライブビュー表示が表示される。図２（ｃ）はこのライブビュー表示を示している。
【００１８】
図２（ｃ）の例では、接眼表示部３１の表示画面３１ａに表示されたライブビュー表示は、撮像画像中に、左側に建物５２、右側に風景５３、中央に人物５４の画像が含まれることを示している。この状態で、ユーザ４１がシャッターボタン３５を押下操作すると、ライブビュー表示されている被写体が撮像されて記録される。なお、接眼表示部３１において表示するライブビュー表示を表示部１７の表示画面上に同時に表示させてもよい。
【００１９】
ここで、ユーザが撮影パラメータ設定モードを指定するための操作を行うものとする。本実施の形態においては、撮影機器１は、表示部１７上に配設されたタッチパネル１７ａをタッチすることで、設定モード選択表示を表示するようになっている。この場合において、本実施の形態においては、ユーザ４１がタッチする位置は、表示部１７の表示画面１７ｂ上のいずれの位置であってもよい。従って、ユーザ４１は、表示画面１７ｂを見てタッチする位置を確認する必要はなく、例えば、接眼表示部３１内の表示画面３１ａを覗き込んだ状態で、表示部１７の表示画面１７ｂ上の適宜の位置を親指４３ａ等でタッチすることで、撮影パラメータ設定モードに移行することができるようになっている（図２（ｂ））。
【００２０】
図２（ｄ）は設定モード選択表示の一例を示している。接眼表示部３１の表示画面３１ａ上には、設定モード選択表示５５が表示されている。図２（ｄ）の例では、設定モード選択表示５５は、現在の選択のためのメニューであることを示す「ＭＥＮＵ」表示の他に、アスペクト比の設定モードに移行するための「アスペクト」表示、露出補正の設定モードに移行するための「露出補正」表示、絞りの設定モードに移行するための「絞り」表示、ホワイトバランス設定に移行するための「ＷＢ」表示、シャッタ速度の設定モードに移行するための「Ｓ／Ｓ」表示、測光の設定モードに移行するための「測光」表示、フォーカス制御の設定モードに移行するための「ＡＦ」表示及び設定モード選択表示５５を終了させるための「戻る」表示を有する。
【００２１】
設定モード選択表示５５は、接眼表示部３１の表示画面３１ａに表示されるが、設定モード選択表示５５を表示部１７の表示画面１７ｂ上に表示させることもできる。設定モード選択表示５５中の各表示は、その位置によって、ユーザがモード選択するためのスライド操作の方向を示している。例えば、「絞り」表示は、「ＭＥＮＵ」表示を基準として、右斜め上方向に位置するので、ユーザが表示部１７の表示画面１７ｂ上で指を右斜め上方向にスライドさせることによって絞りの設定モードが選択されることを示している。
【００２２】
本実施の形態においては、ユーザによるスライド操作は、スライド方向のみに意味があり、スライドの起点はどこでもよい。例えば図３（ａ）は、ユーザの親指が、起点位置の親指４３ａ１から終点位置の親指４３ａ２まで、表示部１７の表示画面１７ｂ上で矢印に示す真上方向にスライドしたことを示している。
【００２３】
ユーザのスライド操作の起点及び終点の位置からスライド方向が判定され、スライド方向の判定結果に対応した設定モードが選択される。図３（ａ）の例では、ユーザの親指の起点の位置は略「Ｓ／Ｓ」表示に対応して、終点の位置は「絞り」表示に対応しているが、ユーザは略真上方向に指をスライドさせているので、撮影機器１は、「ＭＥＮＵ」表示の真上に位置する「露出補正」表示に対応した露出補正の設定モードの選択操作が行われたものと判定する。
【００２４】
なお、ユーザが指をスライドさせている途中においても、撮影機器１は指のスライド方向を判定しており、判定結果を逐次表示するようになっている。例えば、図３（ａ）の例では、ユーザが指を離してモード選択操作を終了するまでは、スライド方向の真上に対応する「露出補正」表示を選択しようとしていることを示す表示を表示する（図３（ｂ））。図３（ｂ）では、「露出補正」表示の枠を太線とすることで、ユーザが選択しようとしているモードを示しているが、色や濃淡等の変化によって示してもよい。
【００２５】
本実施の形態においては、設定モードが選択されると、選択された設定モード毎にパラメータの設定するためのパラメータ選択表示５６が表示される。図３（ｃ）はパラメータ選択表示５６の一例を示している。接眼表示部３１の表示画面３１ａ上には、パラメータ選択表示５６が表示されている。図３（ｃ）の例では、露出補正に関するパラメータ選択表示５６を示しており、パラメータ選択表示５６は、選択したパラメータを決定するための「決定」表示、パラメータを＋２．０から−２．０まで０．５刻みで変化させるための各パラメータ表示を有する。
【００２６】
このパラメータ選択表示５６についても、接眼表示部３１の表示画面３１ａに表示されるが、パラメータ選択表示５６を表示部１７の表示画面１７ｂに表示することもできる。パラメータ選択表示５６中の各表示は、その位置によって、ユーザがパラメータ選択するためのスライド操作の方向を示している。例えば、「＋１．０」のパラメータ表示は、「決定」表示を基準として、右斜め上方向に位置するので、ユーザが指を表示部１７の表示画面１７ｂ上で右斜め上方向にスライドさせることによって、パラメータを＋１．０だけ増加させるためのパラメータ変化量を選択することができる。
【００２７】
この場合においても、ユーザによるスライド操作は、スライド方向のみに意味があり、スライドの起点はどこでもよい。例えばユーザが親指を表示部１７の画面上で左斜め上方向にスライドさせた場合には、ユーザのスライド操作方向は、スライド操作の起点及び終点の位置に拘わらず、左斜め上方向と判定され、スライド方向の判定結果に対応した＋２．０のパラメータ変更量が選択される。なお、この場合においても、撮影機器１は、ユーザが指をスライドさせている途中における指のスライド方向を判定して、逐次表示するようにしてもよい。
【００２８】
図３（ｄ）はこの例を示しており、接眼表示部３１の表示画面３１ａ上には、ビュー表示上に、露出補正モードであることを示す表示５７及び選択したパラメータ変更量が＋２．０であることを示す選択パラメータ表示５８が表示されている。この状態でユーザが選択したパラメータを決定する操作、例えば、表示部１７の表示画面１７ｂ上をタッチする操作を行うことによって、露出補正の補正量が＋２．０として決定されるようになっている。
【００２９】
図１において、撮影機器１を構成する撮影機器本体１０は、ＣＣＤやＣＭＯＳセンサ等の撮像素子によって構成された撮像部１１を有している。撮像部１１は、撮影機器本体１０の前面に設けられた交換レンズ２０からの被写体像を光電変換して撮影画像信号を得る。
【００３０】
交換レンズ２０は、撮影機器本体１０の撮像部１１に被写体像を導く撮影光学系２１を有している。撮影光学系２１は、ズームやフォーカシングのためのレンズ等を備えており、これらのレンズを駆動制御するためのリング操作部２２ａ及びシフト操作部２２ｂ（以下、これらを操作部２２ともいう）を備えている。ズームリングやピントリング等によって構成されるリング操作部２２ａ及びシフト操作部２２ｂの操作によって、ピントのみならず、ズーム位置や絞りの調整も可能である。
【００３１】
リング操作部２２ａ及びシフト操作部２２ｂは、ユーザ操作に基づく操作信号を制御部２３に出力する。制御部２３は、マイコン等によって構成されており、リング操作部２２ａ及びシフト操作部２２ｂからの操作信号に基づいて、回転操作及びシフト操作に基づくフォーカス信号及びズーム信号を発生して、駆動部２４ａ，２４ｂを制御する。
【００３２】
モーター等によって構成された駆動部２４ａ，２４ｂは、撮影光学系２１に設けられたピント合わせに関連するレンズ（以下、これらを総称してピントレンズという）及びズーミングに関連するレンズ（以下、これらを総称してズームレンズという）を駆動し、ピント制御及びズーム制御を行う。撮影光学系２１にはピント制御部２１ａ及びズーム制御部２１ｂが設けられている。ピント制御部２１ａはピントレンズの位置に対応した信号をピント位置判定部２５ａに出力する。また、ズーム制御部２１ｂはズームレンズの位置（ズーム位置）に対応した信号をズーム位置判定部２５ｂに出力する。
【００３３】
ピント位置判定部２５ａは、ピント制御部２１ａの出力に基づいてピント位置を判定して判定結果を制御部２３に出力する。ズーム位置判定部２５ｂは、ズーム制御部２１ｂの出力に基づいてズーム位置を判定して判定結果を制御部２３に出力する。制御部２３は、ピント位置及びズーム位置の判定結果が与えられ、操作部２２の操作に対応したピント位置及びズーム位置となるように、駆動部２４ａ，２４ｂを制御する。
【００３４】
交換レンズ２０には、通信部２８が設けられている。また、撮影機器本体１０には通信部１３が設けられている。通信部２８は、所定の伝送路を介して撮影機器本体１０の通信部１３との間で情報の送受を行う。制御部２３は、撮影機器本体１０の通信部１３との間の通信が確立すると、記録部２６に格納したレンズ情報及びズーム操作に関するズーム情報等を通信部２８，１３によって撮影機器本体１０に送信させることができる。
【００３５】
レンズ情報により、撮影機器本体１０は、交換レンズ２０がどのようなズーム機能を有しているか、ズームレンズの焦点距離範囲（倍率）、焦点距離、明るさナンバー等を認識することができる。また、撮影機器本体１０には、リング操作部２２ａからの回転操作の情報も与えられるようになっている。制御部２３は、通信部１３，２８介して撮影機器本体１０の信号処理及び制御部１２から制御信号が供給されて、信号処理及び制御部１２によって制御可能に構成されている。
【００３６】
なお、本実施の形態においては、種々の交換レンズを採用することができ、更に、交換レンズだけでなく、交換不能なレンズを採用してもよい。
【００３７】
撮影機器本体１０の撮像部１１は、信号処理及び制御部１２によって駆動制御されて、交換レンズ２０を介して被写体を撮影し、撮影画像を出力する。信号処理及び制御部１２は、撮像部１１に撮像素子の駆動信号を出力すると共に、撮像部１１からの撮影画像を読み出す。信号処理及び制御部１２は、読み出した撮影画像に対して、所定の信号処理、例えば、色調整処理、マトリックス変換処理、ノイズ除去処理、その他各種の信号処理を行う。
【００３８】
撮影機器本体１０には、時計部１４及び操作判定部１５も配設されている。時計部１４は信号処理及び制御部１２が用いる時間情報を発生する。操作判定部１５は、撮像機器本体１０に設けられたシャッターボタン３５や図示しない撮影モード設定等の各種スイッチに対するユーザ操作に基づく操作信号を発生して、信号処理及び制御部１２に出力するようになっている。信号処理及び制御部１２は、操作信号に基づいて、各部を制御する。
【００３９】
信号処理及び制御部１２は、信号処理後の撮影画像を圧縮処理し、圧縮後の画像を記録部１６に与えて記録させることができる。記録部１６としては、例えばカードインターフェースを採用することができ、記録部１７はメモリカード等の記録媒体に画像情報及び音声情報等を記録可能である。
【００４０】
また、信号処理及び制御部１２の表示制御部１２ｃは、信号処理後の撮影画像を表示部１７及び接眼表示部３１に与えることができる。なお、接眼表示部３１には、通信部３２が設けられており、信号処理及び制御部１２からの画像信号は、通信部１８，３２を介して、接眼表示部３１に転送されるようになっている。表示部１７及び接眼表示部３１は、夫々ＬＣＤ等の表示画面１７ｂ，３１ａを有しており、信号処理及び制御部１２から与えられた画像を表示する。また、表示制御部１２ｃは、各種メニュー表示や、上述した設定モード選択表示５５及びパラメータ選択表示５６を表示画面１７ｂ，３１ａに表示させることもできるようになっている。
【００４１】
なお、接眼表示部３１は、ユーザが目を接眼表示部３１の接眼する部分に近接させたことを検出する接眼センサ３３が設けられており、接眼センサ３３の検出結果によって、信号処理及び制御部１２は、ユーザが目を接眼する部分に近接させたか否かを判定することができるようになっている。
【００４２】
更に、撮影機器本体１０にはタッチパネル１７ａが設けられている。例えば、タッチパネル１７ａを表示部１７の表示画面１７ｂ上に設けることで、ユーザが指で指し示した表示画面１７ｂ上の位置に応じた操作信号を発生することができる。これにより、信号処理及び制御部１２のタッチ操作検出部１２ｂは、ユーザが表示部１７の表示画面１７ｂ上を指でタッチする操作を検出することができると共に、ユーザが表示部１７の表示画面１７ｂ上を指でスライドさせるスライド操作を行った場合に、そのスライド方向を検出することができる。
【００４３】
信号処理及び制御部１２は、各部を制御することで、ユーザ操作に基づく撮影モードを設定して、各撮影モードに応じた撮影機能を実現する。例えば、撮影機器本体１０のパラメータ制御部１２ａは、タッチ操作検出部１２ｂの検出結果が与えられ、ユーザが表示部１７の表示画面１７ｂ上で行ったタッチ操作及びスライド操作に応じたパラメータを設定する。例えば、パラメータ制御部１２ａは、ユーザのタッチ及びスライド操作に応じて、アスペクト比、露出、絞り、ホワイトバランス、シャッタ速度、測光及びフォーカス制御等の各パラメータを設定する。
【００４４】
次に、このように構成された実施の形態の動作について図４及び図５を参照して説明する。図４はカメラ制御を説明するためのフローチャートであり、図５は図４のステップＳ１３における操作判定及びパラメータ変更ステップの具体例を示すフローチャートである。
【００４５】
図４のステップＳ１において、撮影機器１の電源がオンになったことが検出されると、信号処理及び制御部１２は、次のステップＳ２で撮影モードが指示されたか否かを判定する。撮影モードが指示されていない場合には、信号処理及び制御部１２は、ステップＳ３において、再生モードが指示されたか否かを判定する。再生モードが指示されると、信号処理及び制御部１２は、ステップＳ４において選択画像の再生を行う。ユーザが再生画像の変更を指示すると、信号処理及び制御部１２は、ステップＳ５から処理をステップＳ６に移行して画像の変更を行う。なお、信号処理及び制御部１２は、ステップＳ３において再生モードが指定されていない場合には、ステップＳ８において撮影画像を送信する画像通信モードに移行する。
【００４６】
一方、撮影モードが指示されると、信号処理及び制御部１２は、ステップＳ１１において、接眼判定を行う。接眼表示部３１近傍には、ユーザが目を接眼表示部３１の接眼する部分に近接させたことを検出するセンサ３３が設けられており、このセンサ３３の検出結果によって、信号処理及び制御部１２は、ユーザが目を接眼する部分に近接させたか否かを判定することができる。
【００４７】
信号処理及び制御部１２は、接眼判定によって、ユーザが目を接眼する部分に近接させていないものと判定した場合には、処理をステップＳ１４に移行して、撮像部１１からの画像信号に基づいて、表示部１７に撮像画像（スルー画）をライブビュー表示する。更に、信号処理及び制御部１２は、ステップＳ１５において、ユーザによる各種操作を判定し、判定結果に基づいて、各種設定操作、例えば撮影パラメータ等の各種パラメータの変更や撮影操作等を行う。ここでは、画面に表示されている被写体を見ながらの操作となるので、図１０で後述するような、タッチレリーズなどを含む操作ができるようになっている。ユーザが被写体にタッチしたということは、直感的に選んだ興味がある被写体を見つけた状況であるとし、タッチしたポイントにピントや露出を合わせて撮影まで行う。
【００４８】
ユーザが撮影モード時に、目を接眼する部分に近接させると、信号処理及び制御部１２は、処理をステップＳ１１からステップＳ１２に移行して、接眼表示部３１の表示画面３１ａ上にスルー画を表示させる。更に、信号処理及び制御部１２は、ステップＳ１３において、ユーザの操作を判定し、判定結果に基づいてパラメータの変更を行う。
【００４９】
図５はこの操作判定方法の具体例を示している。特に、接眼時にタッチパネルを見ないでも操作できる状況を想定している。この場合は、被写体そのもののタッチではないので、タッチレリーズを想定する必要はない。ただし、タッチ部の表示を確認できないという制約もある。図５のステップＳ２１において、信号処理及び制御部１２のタッチ操作検出部１２ｂは、表示部１７に配設したタッチパネル１７ａをユーザがタッチしたか否かを検出する。
【００５０】
いま、ユーザが接眼表示部３１によるライブビュー表示によって被写体を確認しながら、撮影のためのパラメータ設定を行うものとする。この場合には、ユーザは、接眼表示部３１のライブビュー表示を確認しながら、指で表示部１７をタッチする。接眼部のタッチではない。
【００５１】
信号処理及び制御部１２は、ステップＳ２２において、パラメータ設定を行うモードが既に決定されているか否かを判定する。モードが決定されていない場合には、信号処理及び制御部１２は、タッチ操作検出部１２のタッチ検出によって、パラメータ設定を行うモードを選択するための操作が行われたものと判定する。表示制御部１２ｃは、タッチ操作検出部１２の検出結果によって、タッチが例えば１秒以上継続した場合には、処理をステップＳ２３からステップＳ２４に移行して、表示部１７の表示画面１７ｂ上に、例えば図２（ｄ）に示す設定モード選択表示を表示させる。ここでは目視確認できないでタッチをしているので、時間管理などで表示を出したが、特定のタッチ動作やタップ動作、スライド操作で出すようにしてもよい。
【００５２】
信号処理及び制御部１２は、設定モード選択表示の表示部への表示の有無に拘わらず、ステップＳ２５〜Ｓ３０の処理によって、モードの決定を行うようにしてもよい。タッチ操作検出部１２ｂは、ステップＳ２５において、タッチしている指の位置がタッチした点から変化しているか否か、即ち、ユーザがスライド操作しているか否かを判定する。ユーザがスライド操作を行った場合には、タッチ操作検出部１２ｂは、タッチ開始点を基準としてスライド方向を判定する（ステップＳ２６）。このように、タッチした位置そのものは操作に関与しないので、目視確認なし操作が可能となる。
【００５３】
信号処理及び制御部１２は、タッチ操作検出部１２ｂの検出結果によって、スライド方向に対応した設定モードを選択し（ステップＳ２７）、図３（ｂ）のように、選択しているモードに対応した表示を太枠表示する（ステップＳ２９）。
【００５４】
ユーザが指をタッチパネル１７ａから離間させると、信号処理及び制御部１２は、選択中のモードを決定する（ステップＳ３０）。ユーザが指を離間させるまではステップＳ３０のモード決定は行われない。従って、ユーザは指を間違った方向にスライドさせた場合でも、指を離さずに正しい方向にスライドさせることにより、所望のモードを選択することができる。
【００５５】
モードが決定した状態で、ユーザが再度タッチパネル１７ａにタッチすると、信号処理及び制御部１２はステップＳ２２から処理をステップＳ３１に移行して、表示制御部１２ｃは、タッチ操作検出部１２の検出結果によって、タッチが例えば１秒以上継続したか否かを判定し（ステップＳ３１）、タッチが１秒以上継続した場合には、表示部１７の表示画面１７ｂ上に、例えば図３（ｃ）に示すパラメータ選択表示を表示させる（ステップＳ３２）。ここでも、タップなど時間管理による方法以外を採用してもよい。
【００５６】
信号処理及び制御部１２は、パラメータ選択表示の画面への表示の有無に拘わらず、ステップＳ３３〜Ｓ３７の処理によって、パラメータ（又は変更量）の決定を行う。タッチ操作検出部１２ｂは、ステップＳ３３において、ユーザが指をタッチパネル１７ａから離間させたか否かを判定する。指が離間すると、タッチ操作検出部１２ｂは、ステップＳ３４においてスライドの有無を判定する。スライド操作があった場合には、信号処理及び制御部１２は、次のステップＳ３５において、タッチの開始点を基準としてスライド方向を判定し、スライド方向に対応したパラメータを選択する。信号処理及び制御部１２の表示制御部１２ｃは、選択しているパラメータに対応した表示を太枠表示する（ステップＳ３６）。
【００５７】
なお、パラメータの選択操作は、指がタッチパネル１７ａから離間するまで行われるので、ユーザは間違った方向にスライドさせた場合でも、指を離さずに正しい方向にスライドさせることにより、所望のパラメータを選択することができる。
【００５８】
ユーザは選択したパラメータを決定するために、再度タッチパネル１７ａをタッチし、スライドさせることなく指をタッチパネル１７ａから離間させる。これにより、処理はステップＳ３４からステップＳ３７に移行して、パラメータ制御部１２ａは、選択されているパラメータを決定する。信号処理及び制御部１２は、決定したパラメータに応じて各部を制御して、モード設定を終了する。
【００５９】
なお、パラメータの決定は、指でタッチパネル１７ａをタッチしスライドすることなく離すことによって行われる。この場合において、パラメータ選択表示の表示中に、ユーザがスライド操作を複数回繰り返すことが考えられる。この場合には、ユーザが行った最後のスライド操作に基づいてパラメータを決定してもよく、各スライド操作によって指定されたパラメータの変化量を積算し、積算値をパラメータの設定値としてもよい。このような繰り返しによるパラメータ加算も、直感的な操作と言える。それは、操作の回数がパラメータ変化に換算されるからである。
【００６０】
なお、ステップＳ２１においてタッチが検出されなかった場合には、信号処理及び制御部１２は、所定の時間経過後に、図２及び図３で示したモード設定のための表示を消去し、スルー画表示のみに戻す。
【００６１】
パラメータの設定が行われると、次に、信号処理及び制御部１２は、図４のステップＳ１６において、撮影操作が行われたか否かを判定する。ユーザがシャッターボタン３５を操作して撮影を行うと、信号処理及び制御部１２は、ステップＳ１７において撮影を行う。信号処理及び制御部１２は、撮像部１１からの撮像画像に対して所定の信号処理を施して撮像画像を生成する。信号処理及び制御部１２は、生成された撮像画像を記録部１６に与えて画像ファイル化する。
【００６２】
このように本実施の形態においては、タッチ及びスライド操作によって、モード設定及び撮影パラメータ設定等の設定操作を行うことができる。この場合において、モードやパラメータの決定にタッチ位置ではなく、スライド方向のみを用いており、ユーザは、表示画面を見てタッチする位置を確認する必要はないので、撮影中であっても簡単に設定操作が可能である。例えば、接眼表示部内の表示画面を覗き込んだ状態で、背面パネル等のスライド操作によって、確実に撮影パラメータ設定等を行うことができ、直感的にして応答性をよくして操作性を向上させることができる。
また、同じスライド操作を繰り返したり、スライド距離を変えたりすることで、数値変更をできるようにすれば、直感的でスピーディーで自在な操作ができる。指がどこかに届かないなどの問題もなくなり、短く関節も少なく、自由度に劣る親指での操作で、簡単に必要な操作が可能となる。このため、持ち替えなどの必要もなく、ホールディングに優れ、手ぶれなどを抑制できる。
【００６３】
接眼表示部の表示画面を覗き込んだままで操作ができるので、目を接眼表示部から離間させる場合よりも、フレーミングが容易であり、長い焦点距離の撮影時におけるブレを低減することができ、安定してカメラを構えることができ、しかも、表示画面が太陽光の影響を受けないので、見やすく色再現性に優れた状態で被写体をしっかり観察することができる。これによって構図やパラメータ設定を確実に確認でき、シャッターチャンスを逃すこともない。
【００６４】
（第２の実施の形態）
図６は本発明の第２の実施の形態において採用される動作フローを示すフローチャートである。図６において図５と同一の手順には同一符号を付して説明を省略する。図７は第２の実施の形態を説明するための説明図である。本実施の形態におけるハードウェア構成は第１の実施の形態と同様である。
【００６５】
本実施の形態はパラメータの選択及び決定の仕方が第１の実施の形態と異なるのみである。図７（ｂ）は第２の実施の形態におけるパラメータ選択表示の一例を示す説明図である。図７（ｂ）に示すように、接眼表示部３１の表示画面３１ａ上には、ライブビュー表示上に、露出補正モードであることを示す表示６１、パラメータ変更量を所定量だけ減ずることを示す表示６２、パラメータ変更量を所定量だけ増加させることを示す表示６３、現在のパラメータ変更量が＋２．０であることを示す表示６４及び戻る方向であることを示す表示６５が表示されている。
【００６６】
図６のステップＳ４１において、信号処理及び制御部１２のタッチ操作検出部１２ｂは、予め設定されている、戻る方向にスライド操作が行われたか否かが判定される。戻る方向は、現在の設定モードを終了させるためのスライド方向であり、図７（ｂ）の例では、表示６５に示す真下方向である。
【００６７】
タッチ操作検出部１２ｂは、戻る方向への操作でない場合には、次のステップＳ４２において数値決定方向の操作であるか否かを判定する。信号処理及び制御部１２は、数値決定方向の操作であると判定した場合には、１回のスライド操作毎に、１ステップ（所定の変更量）だけ、パラメータの変更量を増加又は減少させる（ステップＳ４３）。
【００６８】
例えば、図７（ａ）のように、ユーザが親指を、起点位置の親指４３ａ１から終点位置の親指４３ａ２まで、表示部１７の表示画面１７ｂ上を矢印に示す左方向にスライドさせた場合には、信号処理及び制御部１２は、パラメータの変更量を所定量だけ減少させる。逆に、ユーザが指を右方向にスライドさせた場合には、信号処理及び制御部１２は、パラメータの変更量を所定量だけ増加させる。表示制御部１２ｃは、現在のパラメータ変更量を表示６４として表示する。
【００６９】
こうして、ユーザが指を左右方向にスライドさせる操作に応答して、パラメータの変更量が増減する。信号処理及び制御部１２は、スライド方向が戻る方向であるものと判定した場合には、ステップＳ４４に処理を移行して、現状の数値をパラメータの増減量として決定する。
【００７０】
信号処理及び制御部１２は、ユーザ操作に基づくパラメータの変更量に従って、アスペクト比、露出、絞り、ホワイトバランス、シャッタ速度、測光及びフォーカス制御等の各種パラメータを設定する。
【００７１】
このように本実施の形態においても第１の実施の形態と同様の効果を得ることができる。また、本実施の形態においては、パラメータを増減させるための２方向のみの操作を行えばよく、操作が一層簡単であるという利点がある。第1実施例において説明した特徴、利点は、特に説明を繰り返さなくとも踏襲されることは言うまでもない。
【００７２】
（第３の実施の形態）
図８は本発明の第３の実施の形態において採用される動作フローを示すフローチャートである。図８において図６と同一の手順には同一符号を付して説明を省略する。また、図９は第３の実施の形態を説明するための説明図である。本実施の形態におけるハードウェア構成は第１の実施の形態と同様である。
【００７３】
本実施の形態はパラメータの選択及び決定の仕方が第２の実施の形態と異なるのみである。本実施の形態においては、信号処理及び制御部１２は、交換レンズ２０からリング操作部２２ａのリング操作に関する情報が与えられ、リング操作に応じて、パラメータの変更量を変化させるようになっている。
【００７４】
図９（ｂ）は第３の実施の形態におけるパラメータ選択表示の一例を示す説明図である。図９（ｂ）に示すように、接眼表示部３１の表示画面３１ａ上には、ライブビュー表示上に、露出補正モードであることを示す表示６１、パラメータ変更量を所定量だけ減ずる（−方向）ための回転方向を示す操作補助表示７１、パラメータ変更量を所定量だけ増加させる（＋方向）ための回転方向を示す操作補助表示７２及び現在のパラメータ変更量が＋２．０であることを示す表示６４が表示されている。
【００７５】
図８のステップＳ５１において、信号処理及び制御部１２の表示制御部１２ｃは、操作補助表示７１，７２を表示させる。次に、信号処理及び制御部１２は、ステップＳ５２において、指がタッチパネル１７ａから離間したか否かを判定する。信号処理及び制御部１２は、指を離すと、パラメータの増減操作を終了して、処理をステップＳ４４に移行する。本実施の形態においては、ユーザが指をタッチしている期間において、リング操作部２２ａによるパラメータ増減操作を受け付ける。
【００７６】
ユーザは、パラメータの増減量を決定するために、リング操作部２２ａを時計方向又は反時計方向に回転させる。信号処理及び制御部１２は、ステップＳ５３においてリング操作の有無を判定して操作に応じてパラメータを変化させる（ステップＳ５４）。信号処理及び制御部１２は、ユーザが時計方向にリング操作部２２ａを回転させるとパラメータを増加させ、反時計方向にリング操作部２２ａを回転させるとパラメータを減少させる。
【００７７】
この場合には、信号処理及び制御部１２は、リング操作部２２ａの回転量に応じた値をパラメータの増減量とする。表示制御部１２ｃは、現在のパラメータ変更量を表示６３として表示する。
【００７８】
他の構成及び作用は、第２の実施の形態と同様である。
【００７９】
このように本実施の形態においても第１の実施の形態と同様の効果を得ることができる。また、本実施の形態においては、リング操作部による簡単な操作によってパラメータを増減させることができ、左右の手を同時に使える状況では、操作性が一層向上するという利点がある。
【００８０】
なお、上記各実施の形態においては、タッチパネルにタッチした指を全方向にスライド可能であるものとして説明したが、例えば最初に画面の端部にタッチした場合等のように、必ずしも指を全方向にスライドさせることができないことがある。この場合には、スライド不能な方向に対応したモードやパラメータを選択することができないことを示す表示を表示させてもよい。例えば、このような表示として、設定モード選択表示及びパラメータ選択表示上の当該部分の色や濃淡等を他の部分と変えたりする表示が考えられる。この場合には、ユーザは、全方向へのスライドが可能な位置に再度タッチしなおすことで、全てのモード選択及びパラメータ選択が可能となる。第1実施例において説明した特徴、利点は、特に説明を繰り返さなくとも踏襲されることは言うまでもない。レンズ部に操作部材を有し、両手が使える状況下では、フレーミング時に把持しなければならない、レンズ部の操作も合わせて、手ぶれやフレーミングの中断なく、より自由度の高い操作が可能となる。また、タッチレリーズなど、ユーザが直感的にしたくなる操作を矛盾無く採用でき、ユーザ満足度の高いカメラを提供することが可能となる。
【００８１】
（第４の実施の形態）
図１０は本発明の第４の実施の形態において採用される動作フローを示すフローチャートである。図１０において図８と同一の手順には同一符号を付して説明を省略する。また、図１１は第４の実施の形態を説明するための説明図である。本実施の形態におけるハードウェア構成は第１の実施の形態と同様である。
【００８２】
撮影機器１において、撮影し記録を行うための操作としては、シャッタボタン３５の押下操作だけでなく、表示部１７の表示画面１７ｂ上のタッチ操作がある。表示部１７に表示されている撮像画像（ライブビュー表示）の表示上で、ユーザがピントを合わせたい被写体の表示部分にタッチすると、信号処理及び制御部１２は、当該被写体に合焦させると共に、撮像画像を取り込んで記録する機能（以下、タッチ撮影機能という）を有する。
【００８３】
本実施の形態は、タッチ撮影機能を有する撮影機器においても、ライブビュー表示時における撮影パラメータの設定を、タッチパネル１７ａの操作によって可能にするものである。
【００８４】
図１０は本実施の形態における設定モード選択及びパラメータ選択の手順の一例を示すフローチャートであり、例えば、図４のステップＳ１５として採用することができるものである。
【００８５】
撮影機器１から接眼表示部３１が取り外された場合や撮影モード時にユーザが接眼表示部３１から目を離間させた場合等においては、ライブビュー表示が表示部１７の表示画面１７ｂに表示されることがある。図１１（ａ）はこのような撮影状態を示しており、ユーザ４１は、目４５を撮影機器１０から離間させ、左手４２Ｌで撮影機器本体１０を支持し、右手で表示部１７に配設した表示パネル１７ｂを操作して撮影パラメータの設定や撮影操作を行う。
【００８６】
信号処理及び制御部１２は、タッチ撮影機能を有しており、タッチパネル１７ａに対する操作が撮影パラメータの設定操作であるか撮影操作であるかを区別する必要がある。そこで、本実施の形態においては、ステップＳ６１において、ユーザの指が画面端部以外をタッチしたか否かを判定する。
【００８７】
ユーザは、撮影パラメータ等の設定を行う場合には、指を画面外から画面内に向かってスライドさせる。図１１（ｂ）はこのスライド操作を示しており、ユーザは、親指を、起点位置の親指４３ａ１から終点位置の親指４３ａ２まで、表示部１７の表示画面１７ｂの端部から矢印８１に示す中央側の方向にスライドさせている。この場合には、ユーザの指は先ず画面端部においてタッチパネル１７ａに接触することになる。信号処理及び制御部１２のタッチ操作検出部１２ｂは、ステップＳ６１においてユーザのタッチ操作が画面端部以外であると判定した場合には、ステップＳ６３において、タッチポイントにピントを合わせた後、撮影を行う。通常、注目被写体は、画面の中央側に表示されるので、注目被写体をタッチすることで、ステップＳ６３において撮影を行うことができる。
【００８８】
タッチ操作検出部１２ｂは、ユーザが画面端部をタッチしたものと判定した場合には、次のステップＳ６２において、画面端部から画面中央部側へ指がスライドしたか、即ち、画面外から指が侵入する操作があったか否かを判定する。信号処理及び制御部１２は、図１１（ｂ）に示すスライド操作が行われると、処理をステップＳ２２に移行してモード決定済みか否かの判定を行う。
【００８９】
モード決定済みでない場合には、信号処理及び制御部１２の表示制御部１２ｃは、設定モード選択表示を例えば指がタッチしている位置に表示させる。図１１（ｃ）は、表示画面１７ｂ上のスルー画表示中に設定モード選択表示８２が表示されている状態を示している。図１１（ｃ）では、設定モード選択表示８２は４分割された４つアイコンによってモードを選択する例を示しており、４つのアイコンのうち３つのアイコンは「露出」、「ストロボ」、「ピント」の各モードを選択ものであることを示している。表示制御部１２ｃは、指に隠れたアイコンについてもユーザに視認されるように、設定モード選択表示８２の中心を軸に各アイコンを回転させる（ステップＳ６４）。
【００９０】
ステップＳ２５〜Ｓ２７において、タッチ操作検出部１２ｂは、ユーザがいずれのアイコン方向に指をスライドさせたかによって選択したアイコンに対応する設定モードを検出する。表示制御部１２ｃは、設定モード選択表示８２上のアイコンを太枠表示８３で囲む（ステップＳ２８）。本実施の形態においては、信号処理及び制御部１２は、ステップＳ３０において、選択された設定モードにモードを決定する。
【００９１】
モード決定後の動作は、図８の実施の形態と同様であり、ユーザが指４３ａをタッチパネル１７ａにタッチしている期間において、リング操作部２２ａによるリング操作を受け付ける。信号処理及び制御部１２は、ユーザが時計方向にリング操作部２２ａを回転させるとパラメータを増加させ、反時計方向にリング操作部２２ａを回転させるとパラメータを減少させる。信号処理及び制御部１２は、リング操作部２２ａの回転量に応じて値をパラメータの値とする。また、表示制御部１２ｃは、現在のパラメータ変更量を表示６４として表示する。
【００９２】
他の構成及び作用は、第３の実施の形態と同様である。
【００９３】
このように本実施の形態においては、表示画面をタッチすることで撮影操作を行う機能を有する撮影機器についても、タッチ及びスライド操作のみによって撮影パラメータ等の設定を行うことが可能である。また、同じスライド操作を繰り返したり、スライド距離を変えたりすることで、数値変更をできるようにすれば、直感的でスピーディーで自在な操作ができる。指がタッチ部材のどこかに届かないなどの問題もなくなり、親指での操作によって、簡単、単純に必要な操作が迅速に可能となる。このため、持ち替えなどの必要もなく、ホールディングに優れ、手ぶれなどを抑制できる。
繰り返しになるが、タッチレリーズなど、ユーザが直感的にしたくなる操作を矛盾無く採用でき、ユーザ満足度の高いカメラを提供することが可能となる。もちろん、画面を見ながらなので人差し指で操作してもよい。この場合でも、詳細なポイントをめがけてタッチする必要がないので、迅速で直感的で誤動作のない操作を可能としている。
【００９４】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
【００９５】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００９６】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
［付記］
被写体像を撮像して撮像画像を得る撮像部と、
上記撮像画像に基づく表示が可能な接眼表示部と、直視表示パネルと、
上記直視表示パネル上のタッチ操作に応じた信号を発生するタッチパネルと、
上記接眼表示を観察しているかどうかを判定する接眼判定部と、
上記接眼判定時には上記タッチパネルのスライド操作を判定し、
上記接眼判定がない時には、上記タッチパネルのタッチ操作を判定し、
上記タッチ操作に応じた撮影制御と、
上記スライド操作に応じた撮影パラメータ変更を制御する制御部と、
を具備したことを特徴とする撮影機器。
【符号の説明】
【００９７】
１…撮影機器、１０…撮影機器本体、１１…撮像部、１２…信号処理及び制御部、１２ａ…パラメータ制御部、１２ｂ…タッチ操作検出部、１２ｃ…表示制御部、１７…表示部、１７ａ…タッチパネル、１７ｂ…表示画面、２０…交換レンズ、３１…接眼表示部、３１ａ…表示画面。
【図１】
0005936183.tif 000002
【図２】
0005936183.tif 000003
【図３】
0005936183.tif 000004
【図４】
0005936183.tif 000005
【図５】
0005936183.tif 000006
【図６】
0005936183.tif 000007
【図７】
0005936183.tif 000008
【図８】
0005936183.tif 000009
【図９】
0005936183.tif 000010
【図１０】
0005936183.tif 000011
【図１１】
0005936183.tif 000012